(57)【要約】  本開示の一実施形態に係る製品デザインシステムは、画像修正のなされた第２デザイン画像データを、ルックアップテーブルを用いて、サーモクロミック材料で表現される色空間の第３デザイン画像データに変換し、変換により得られた第３デザイン画像データを外部機器に送信する第１送信部と、第２デザイン画像データからプロファイル変換された第４デザイン画像データに基づく加飾要求を加飾装置に送信する第２送信部とを備えている。
2018123340.tif 000002
【特許請求の範囲】
【請求項１】
第１デザイン画像データを用いて、第１色空間を、サーモクロミック材料で表現される第２色空間に変換するルックアップテーブルを生成する生成部と、
前記第１デザイン画像データに対して、描画修正および色味修正のうち、少なくとも一方を行うことにより、第２デザイン画像データを生成する修正部と、
前記ルックアップテーブルを用いて、前記第２デザイン画像データを、前記第２空間の第３デザイン画像データに変換し、変換により得られた前記第３デザイン画像データを外部機器に送信する第１送信部と、
前記第２デザイン画像データを前記第２色空間の第４デザイン画像データに変換し、変換により得られた前記第４デザイン画像データに基づく加飾要求を加飾装置に送信する第２送信部と
を備えた
製品デザインシステム。
【請求項２】
前記生成部は、前記加飾の下地の色を考慮して前記ルックアップテーブルを生成する
請求項１に記載の製品デザインシステム。
【請求項３】
前記修正部は、外部機器から入力された修正要求に基づいて、前記第１デザイン画像データに対する修正を行い、
前記生成部は、前記外部機器の表示環境を考慮して前記ルックアップテーブルを生成する
請求項２に記載の製品デザインシステム。
【請求項４】
前記サーモクロミック材料は、ロイコ色素である
請求項１に記載の製品デザインシステム。
【請求項５】
第１デザイン画像の選択を受け付ける第１受付部と、
前記第１デザイン画像に対しての、描画修正および色味修正のうち、少なくとも一方の修正要求を受け付ける第２受付部と、
前記第１デザイン画像に対して前記修正要求に応じた修正がなされた第２デザイン画像を、サーモクロミック材料で表現される色空間の第３デザイン画像として取得し、表示部に表示させる取得部と、
前記第３デザイン画像に対応するデザイン画像の加飾要求を受け付ける第３受付部と
を備えた
デザイン画像修正装置。
【請求項６】
前記第１受付部は、製品の基本データをさらに受け付け、
前記取得部は、前記基本データに対応する製品画像を取得し、前記製品画像上に前記第３デザイン画像が重ね合わされた加飾画像を前記表示部に表示させる
請求項５に記載のデザイン画像修正装置。
【発明の詳細な説明】
【技術分野】
【０００１】
本開示は、製品デザインシステムおよびデザイン画像修正装置に関する。
【背景技術】
【０００２】
製品をデザインするためには、多くのコストと費用がかかる。しかし、製品デザインにおいて、素材の染色や外観への着色は、比較的、低コストで済む。また、カラーや加飾デザインのバリエーションを用意することで、消費者の幅広い嗜好性に合わせることができ、販売数量を拡大することができる。そのため、様々な製品分野で、カラーや加飾デザインのバリエーションが用意されている（例えば、非特許文献１参照）。
【先行技術文献】
【非特許文献】
【０００３】
【非特許文献１】http://www.sony.jp/vaio-v/products/c151/
【発明の概要】
【０００４】
しかし、カラーや加飾デザインのバリエーション数を増やし過ぎた場合には、例えば、ある特定のカラーや加飾デザインの製品で大量の在庫が残ってしまい、大きな在庫リスクを抱えるおそれがある。一方で、カラーや加飾デザインのバリエーション数が少な過ぎると、消費者の幅広い嗜好性に合わせることが容易ではなくなる。従って、大きな在庫リスクを避けつつ、消費者の幅広い嗜好性に合わせることの可能な製品デザインシステムおよびデザイン画像修正装置を提供することが望ましい。
【０００５】
本開示の一実施形態に係る製品デザインシステムは、生成部、修正部、第１送信部および第２送信部を備えている。生成部は、第１デザイン画像データを用いて、第１色空間を、サーモクロミック材料で表現される第２色空間に変換するルックアップテーブルを生成する。修正部は、第１デザイン画像データに対して、描画修正および色味修正のうち、少なくとも一方を行うことにより、第２デザイン画像データを生成する。第１送信部は、ルックアップテーブルを用いて、第２デザイン画像データを、第２色空間の第３デザイン画像データに変換し、変換により得られた第３デザイン画像データを外部機器に送信する。第２送信部は、第２デザイン画像データを第２色空間の第４デザイン画像データに変換し、変換により得られた第４デザイン画像データに基づく加飾要求を加飾装置に送信する。
【０００６】
本開示の一実施形態に係る製品デザインシステムでは、画像修正のなされた第２デザイン画像データが、ルックアップテーブルを用いて、サーモクロミック材料で表現される色空間の第３デザイン画像データに変換される。これにより、プロファイル変換に要する時間が短縮されるので、第１デザイン画像データに対する画像修正要求から、第３デザイン画像データの取得までの時間を短縮することができる。また、この製品デザインシステムでは、第３デザイン画像データは外部機器に送信され、第２デザイン画像データからプロファイル変換された第４デザイン画像データに基づく加飾要求が加飾装置に送信される。これにより、例えば、第１デザイン画像データに対する画像修正を要求すると、画像修正とプロファイル変換のなされた第３デザイン画像が短時間で外部機器に表示され、加飾用に生成された第４デザイン画像データに基づく加飾が加飾装置で実行され得る。このとき、例えば、製品の筐体に、サーモクロミック材料を含む情報記録層が設けられており、その情報記録層に対して、第４デザイン画像データに基づく加飾が実行されることにより、製品の筐体に、ユーザの嗜好や気分などに合わせたデザイン画像を加飾することができる。従って、ユーザの嗜好や気分などに合わせたデザイン画像の加飾された多くの製品をあらかじめ用意しておく必要がない。
【０００７】
本開示の一実施形態に係るデザイン画像修正装置は、第１受付部、第２受付部、取得部および第３受付部を備えている。第１受付部は、第１デザイン画像の選択を受け付ける。第２受付部は、第１デザイン画像に対しての、描画修正および色味修正のうち、少なくとも一方の修正要求を受け付ける。取得部は、第１デザイン画像に対して修正要求に応じた修正がなされた第２デザイン画像を、サーモクロミック材料で表現される色空間の第３デザイン画像として取得し、表示部に表示させる。第３受付部は、前記第３デザイン画像に対応するデザイン画像の加飾要求を受け付ける。
【０００８】
本開示の一実施形態に係るデザイン画像修正装置では、受け付けた第１デザイン画像に対しての、描画修正および色味修正のうち、少なくとも一方の修正要求が受け付けられる。また、第１デザイン画像に対して修正要求に応じた修正がなされた第２デザイン画像が、サーモクロミック材料で表現される色空間の第３デザイン画像として取得され、表示部に表示される。さらに、第３デザイン画像に対応するデザイン画像の加飾要求が受け付けられる。これにより、例えば、第１デザイン画像に対する画像修正を要求すると、画像修正とプロファイル変換のなされた第３デザイン画像が表示され、加飾用に生成されたデザイン画像に基づく加飾が加飾装置で実行され得る。このとき、例えば、製品の筐体に、サーモクロミック材料を含む情報記録層が設けられており、その情報記録層に対して加飾が実行されることにより、製品の筐体に、ユーザの嗜好や気分などに合わせたデザイン画像を加飾することができる。従って、ユーザの嗜好や気分などに合わせたデザイン画像の加飾された多くの製品をあらかじめ用意しておく必要がない。
【発明の効果】
【０００９】
本開示の一実施形態に係る製品デザインシステムおよびデザイン画像修正装置によれば、画像修正を要求すると、画像修正とプロファイル変換のなされたデザイン画像を表示し、加飾用に生成されたデザイン画像に基づく加飾を製品の筺体の情報記録層に行うことができるようにしたので、大きな在庫リスクを避けつつ、消費者の幅広い嗜好性に合わせることができる。なお、本開示の効果は、ここに記載された効果に必ずしも限定されず、本明細書中に記載されたいずれの効果であってもよい。
【図面の簡単な説明】
【００１０】
【図１】本開示の一実施の形態に係る製品デザインシステムの概略構成例を表す図である。
【図２】スマートフォンカバーの斜視構成例を表す図である。
【図３】情報記録層の断面構成例を表す図である。
【図４】図１の端末装置の機能ブロック例を表す図である。
【図５】図１のデータサーバ装置の機能ブロック例を表す図である。
【図６】図５のデータベースの構成例を表す図である。
【図７】図５のデータベースの構成例を表す図である。
【図８】図５のデータベースの構成例を表す図である。
【図９】図５のデータベースの構成例を表す図である。
【図１０】図１のウェブサーバ装置の機能ブロック例を表す図である。
【図１１】図１の端末装置の機能ブロック例を表す図である。
【図１２】ユーザインターフェースの一例を表す図である。
【図１３】製品データの登録手順の一例を表す図である。
【図１４】ロイコ色域画像データの登録手順の一例を表す図である。
【図１５】画像の調整手順の一例を表す図である。
【図１６】図１５に続く調整手順の一例を表す図である。
【図１７】加飾手順の一例を表す図である。
【発明を実施するための形態】
【００１１】
以下、本開示を実施するための形態について、図面を参照して詳細に説明する。以下の説明は本開示の一具体例であって、本開示は以下の態様に限定されるものではない。
【００１２】
[構成]
本開示の一実施の形態に係る製品デザインシステム１について説明する。図１は、本実施の形態に係る製品デザインシステム１の概略構成例を表したものである。製品デザインシステム１は、ユーザが自身の嗜好や気分などに合わせて、製品の筐体のデザイン画像を自由に選択することを可能にするシステムである。この製品デザインシステム１を用いてデザイン画像を選択することの可能な製品としては、例えば、図２に示したようなスマートフォンカバー１０００が挙げられる。なお、この製品デザインシステム１に適用可能な製品は、図２に記載のスマートフォンカバー１０００に限定されず、後述の情報記録層９００を備えた製品であれば、どのような製品であっても、この製品デザインシステム１に適用可能である。
【００１３】
スマートフォンカバー１０００は、スマートフォンを保護するためのカバーである。スマートフォンカバー１０００の表面には加飾面１１００が設けられており、この加飾面１１００に対して加飾処理を行うことにより、デザイン画像１２００が形成されている。加飾面１１００は、例えば、図３に示したような情報記録層９００を有している。加飾処理とは、サーモクロミック材料を含む層に対してデザイン画像を描画（もしくは印刷）する処理を指している。サーモクロミック材料を含む層としては、例えば、ロイコ色素を含む情報記録層９００が挙げられる。
【００１４】
情報記録層９００は、ロイコ色素による発色によって、様々なデザイン画像が視認可能に記録されるものである。情報記録層９００は、例えば、基体９１０と、記録層９２０，９４０，９６０と、断熱層９３０，９５０と、保護層９７０とを有している。記録層９２０、断熱層９３０、記録層９４０、断熱層９５０、記録層９６０、保護層９７０は、基体９１０の表面に、この順に形成されている。
【００１５】
基体９１０は、その表面に各層を形成するための基板として機能するものである。基体９１０は光を透過するものであってもよいし、光を透過しないものであってもよい。光を透過しない場合には、基体９１０の表面の色は、例えば白色であってもよいし、白色以外の色であってもよい。
【００１６】
記録層９２０，９４０，９６０は、発色状態と消色状態との間で可逆的に状態を変化させることができるものである。記録層９２０，９４０，９６０は、発色状態における色が互いに異なる色になるように構成されている。具体的には、この例では、記録層９２０は、マゼンタ色に発色可能であり、記録層９４０は、シアン色に発色可能であり、記録層９６０は、黄色に発色可能である。なお、記録層９２０，９４０，９６０は、上記の例に限定されるものではなく、３つの記録層９２０，９４０，９６０と３色（マゼンタ色、シアン色、黄色）とがどのように対応していてもよい。また、記録層９２０，９４０，９６０は、消色状態では透明になる。これにより、情報記録層９００は、広い色域の色を用いて、デザイン画像を記録することができるようになっている。
【００１７】
記録層９２０，９４０，９６０のそれぞれは、ロイコ色素を含んで構成されている。この場合、記録層９２０，９４０，９６０のそれぞれは、例えば、ロイコ色素に加え、顕色剤と、光熱変換材料と、ポリマーとを含んで構成されている。ロイコ色素は、熱により顕色剤と結合して発色状態になり、あるいは顕色剤と分離して消色状態になるものである。３つの記録層９２０，９４０，９６０のロイコ色素は、発色状態における色が互いに異なるものである。光熱変換材料は、赤外光を吸収して熱を発するものである。３つの記録層９２０，９４０，９６０の光熱変換材料は、吸収する赤外光の波長が互いに異なるものである。
【００１８】
断熱層９３０は、記録層９２０と記録層９４０との間で互いに熱が伝わりにくくするためのものである。断熱層９５０は、記録層９４０と記録層９６０との間で互いに熱が伝わりにくくするためのものである。保護層９７０は、情報記録層９００の表面を保護するためのものである。断熱層９３０，９５０および保護層９７０は、透明な材料を用いて構成されている。
【００１９】
上記の構成により、スマートフォンカバー１０００には、様々なデザイン画像を視認可能に記録することができる。具体的には、情報記録層９００にデザイン画像を記録する場合には、そのデザイン画像に基づいて赤外光が情報記録層９００に照射される。この赤外光の波長は、記録したいデザイン画像の色に応じた波長に設定される。記録層９２０，９４０，９６０のそれぞれでは、光熱変換材料が、その光熱変換材料に対応する波長の赤外光を吸収して熱を発する。そして、その光熱変換材料により生じた熱により、ロイコ色素が顕色剤と結合して発色状態になり、あるいは顕色剤と分離して消色状態になる。このようにして、スマートフォンカバー１０００には、様々なデザイン画像が視認可能に記録される。また、スマートフォンカバー１０００では、この視認可能に記録されたデザイン画像を書き換えることもできるようになっている。
【００２０】
製品デザインシステム１は、例えば、製品メーカが使用する１または複数の端末装置２００、データサーバ装置３００、ウェブサーバ装置４００、製品ユーザが使用する１または複数の端末装置５００、および加飾装置６００を備えている。１または複数の端末装置２００、データサーバ装置３００、ウェブサーバ装置４００、１または複数の端末装置５００、および加飾装置６００は、ネットワーク１００を介して相互に接続される。１または複数の端末装置５００は、本技術の「デザイン画像修正装置」の一具体例に対応する。
【００２１】
ネットワーク１００は、例えば、インターネットで標準的に利用されている通信プロトコル（ＴＣＰ／ＩＰ）を用いて通信を行うネットワークである。ネットワーク１００は、例えば、そのネットワーク独自の通信プロトコルを用いて通信を行うセキュアなネットワークであってもよい。ネットワーク１００は、例えば、インターネット、イントラネット、または、ローカルエリアネットワークである。ネットワーク１００と、１または複数の端末装置２００、データサーバ装置３００、ウェブサーバ装置４００、１または複数の端末装置５００、または加飾装置６００との接続は、例えば、有線ＬＡＮ（Ｌｏｃａｌ  Ａｒｅａ  Ｎｅｔｗｏｒｋ）であってもよいし、Ｗｉ−Ｆｉ等の無線ＬＡＮや、携帯電話回線などであってもよい。
【００２２】
（端末装置２００）
図４は、端末装置２００の概略構成例を表したものである。端末装置２００は、例えば、記憶部２１０、通信部２２０、受付部２３０、表示部２４０および制御部２５０を有している。表示部２４０は、例えば、液晶パネルや有機ＥＬパネルなどで構成されている。受付部２３０は、端末装置２００におけるユーザインターフェースであり、例えば、表示部２４０の表示面に表示されるＧＵＩ（グラフィカルユーザインターフェース）である。記憶部２１０は、制御部２５０によって実行されるプログラム（例えば、ウェブブラウザプログラム２１５や、オペレーティングシステム）などを記憶している。記憶部２１０には、例えば、製品プロパティデータ２１１、製品設計データ２１２、画像プロパティデータ２１３をおよびデザイン画像データ２１４が記憶される。
【００２３】
制御部２５０は、プロセッサを含んで構成されており、記憶部２１０に記憶されたウェブブラウザプログラム２１５や、オペレーティングシステムなどを実行する。通信部２２０は、ネットワーク１００を介して、製品デザインシステム１内の他の装置（ウェブサーバ装置４００等）と通信を行う。端末装置２００におけるユーザインターフェース（受付部２３０）は、例えば、ウェブサーバ装置４００から取得したアプリケーション（例えばｈｔｍｌデータ）をウェブブラウザプログラム２１５で処理することにより実現される。
【００２４】
制御部２５０は、製品データを、ユーザインターフェース（受付部２３０）を介して受け付ける。製品データは、例えば、画像プロパティデータ２１３およびデザイン画像データ２１４を含む。この製品データは、端末装置２００のユーザ（例えば、製品メーカの人）によって、端末装置２００に入力された情報である。制御部２５０は、この製品データを受け付けると、受け付けた製品データをウェブサーバ装置４００に送信する。
【００２５】
制御部２５０は、画像データを、ユーザインターフェース（受付部２３０）を介して受け付ける。画像データは、例えば、画像プロパティデータ２１３およびデザイン画像データ２１４を含む。この画像データは、端末装置２００のユーザ（例えば、製品メーカの人）によって、端末装置２００に入力された情報である。制御部２５０は、この画像データを受け付けると、受け付けた画像データをウェブサーバ装置４００に送信する。
【００２６】
（データサーバ装置３００）
図５は、データサーバ装置３００の概略構成例を表したものである。データサーバ装置３００は、例えば、記憶部３１０、通信部３２０および制御部３３０を有している。制御部３３０は、通信部３２０を介して外部から入力された情報を処理したり、記憶部３１０から読み出した情報を、通信部３２０を介して外部に出力したりする。通信部３２０は、ネットワーク１００を介して、他の機器と通信を行う。
【００２７】
記憶部３１０は、例えば、不揮発性メモリによって構成されており、例えば、ＥＥＰＲＯＭ（Electrically Erasable Programmable Read-Only Memory）、フラッシュメモリ、抵抗変化型メモリなどによって構成されている。記憶部３１０は、検索や蓄積が容易にできるよう整理されたデータベースを有している。記憶部３１０は、例えば、データベース３１１，３１２，３１３，３１７を有している。データベース３１１には、端末装置２００から入力された複数の製品プロパティデータ２１１が記憶される。データベース３１２には、端末装置２００から入力された複数の画像プロパティデータ２１３が記憶される。データベース３１３には、ウェブサーバ装置４００から入力された複数の変換プロパティデータ３１４が記憶される。データベース３１７は、複数の調整データ５１２を含んで構成されている。
【００２８】
図６は、データベース３１１の構成例を表したものである。図６には、複数の製品プロパティデータ２１１がデータベース３１１に格納されている様子が模式的に表されている。各製品プロパティデータ２１１には、例えば、個々の製品プロパティデータ２１１を識別するための製品ＩＤ（Identification）が付加される。各製品プロパティデータ２１１は、例えば、製品ＩＤと、製品名と、型式と、設計ファイル名と、色空間と、筐体色とを含んでいる。製品名は、製品の名称を示す情報である。型式は、製品の名称を記号で示す情報であり、製品の種類や特徴を識別するための識別子としての役割を有している。型式から、製品における筐体の色を判断することができる場合もある。設計ファイル名は、製品設計データ２１２のファイル名である。製品設計データ２１２は、記憶部３１０に記憶される。製品設計データ２１２には、製品の形状、大きさ、色などが所定の言語で記述された製品設計データと、製品設計データを識別するためのファイル名とが含まれている。色空間は、製品設計データ２１２における色空間の規格についての情報である。色空間の規格としては、代表的なものとしては、例えば、ＡｄｏｂｅＲＧＢやｓＲＧＢが挙げられる。筐体色は、製品における筐体の色についての情報である。型式から、製品における筐体の色を判断することができる場合には、筐体色が製品プロパティデータ２１１から省略されてもよい。
【００２９】
図７は、データベース３１２の構成例を表したものである。図７には、複数の画像プロパティデータ２１３がデータベース３１２に格納されている様子が模式的に表されている。各画像プロパティデータ２１３には、例えば、個々の画像プロパティデータ２１３を識別するための画像ＩＤが付加される。各画像プロパティデータ２１３は、例えば、画像ＩＤと、タイトルと、画像ファイル名と、色空間とを含んでいる。タイトルは、デザイン画像データ２１４に含まれるデザイン画像の特徴を説明した文である。「デザイン画像の特徴」とは、例えば、デザイン画像の色や、デザイン画像に含まれるキャラクターなどの情報を指している。画像ファイル名は、デザイン画像データ２１４のファイル名である。デザイン画像データ２１４は、記憶部３１０に記憶される。デザイン画像データ２１４には、製品の筺体に加飾するためのデザイン画像データと、デザイン画像データを識別するためのファイル名とが含まれている。色空間は、デザイン画像データ２１４における色空間の規格についての情報である。
【００３０】
図８は、データベース３１３の構成例を表したものである。図８には、複数の変換プロパティデータ３１４がデータベース３１３に格納されている様子が模式的に表されている。各変換プロパティデータ３１４には、例えば、個々の変換プロパティデータ３１４を識別するための変換ＩＤが付加される。各変換プロパティデータ３１４は、例えば、変換ＩＤと、製品ＩＤと、画像ＩＤと、端末装置５００の表示環境とを含んでいる。端末装置５００の表示環境は、端末装置５００の表示設定における色空間の規格についての情報を含む。色空間の規格としては、代表的なものとしては、例えば、ＡｄｏｂｅＲＧＢやｓＲＧＢが挙げられる。端末装置５００の表示環境は、端末装置５００の表示設定におけるガンマ係数などの情報を含んでいてもよい。各変換プロパティデータ３１４は、製品ＩＤと、画像ＩＤと、端末装置５００の表示環境との組み合わせごとに割り当てられている。各変換プロパティデータ３１４は、さらに、例えば、テーブル名を含んでいる。テーブル名は、変換テーブル３１５のテーブル名である。各変換プロパティデータ３１４が、端末装置５００の表示設定におけるガンマ係数についての情報を含んでいてもよい。
【００３１】
変換テーブル３１５は、製品の筐体に加飾するためのデザイン画像を、ＣＭＹプロファイルの画像に変換するルックアップテーブルである。具体的には、変換テーブル３１５は、デザイン画像データ２１４をロイコ色域画像データ３１６に変換するルックアップテーブルである。ロイコ色域画像データ３１６は、デザイン画像データ２１４をＣＭＹプロファイルの画像データに変換することにより得られる画像データである。ロイコ色域画像データ３１６の色空間は、情報記録層９００で表現できる色域で規定される。
【００３２】
変換テーブル３１５は、製品ＩＤ、画像ＩＤおよび端末装置５００の表示環境の組み合わせごとに設けられている。変換テーブル３１５は、デザイン画像データ２１４をＣＭＹプロファイルの画像データに変換するとともに、変換により得られたＣＭＹプロファイルの画像データに対して、下地（製品ＩＤの製品の筐体）の影響を考慮した補正を加えるルックアップテーブルである。変換テーブル３１５は、さらに、上述の補正を行った後の画像データを、端末装置５００の表示環境と同一の色空間の画像データに変換するルックアップテーブルである。従って、変換テーブル３１５を用いてマッピング（ガモットマッピング）を行うことにより、ある製品ＩＤの製品の筐体に加飾された、ある画像ＩＤのデザイン画像が、端末装置５００のディスプレイで、忠実な色で表現される。
【００３３】
図９は、データベース３１７の構成例を表したものである。図９には、複数の調整データ５１２がデータベース３１７に格納されている様子が模式的に表されている。各調整データ５１２には、例えば、個々の調整データ５１２を識別するための調整ＩＤが付加される。各調整データ５１２は、例えば、座標と、向きと、縮尺と、色味とを含んでいる。座標は、製品の筐体上に重ね合わされたデザイン画像の位置座標についての情報である。向きは、製品の筐体上に重ね合わされたデザイン画像の向きについての情報である。縮尺は、製品の筐体上に重ね合わされたデザイン画像の縮尺についての情報である。色味は、製品の筐体上に重ね合わされたデザイン画像の色味に対する調整についての情報である。
【００３４】
（ウェブサーバ装置４００）
図１０は、ウェブサーバ装置４００の概略構成例を表したものである。ウェブサーバ装置４００は、端末装置２００，５００におけるユーザインターフェースを提供するとともに、端末装置２００，５００から受け付けたデータに対して所定の処理を行う。ウェブサーバ装置４００は、例えば、記憶部４１０、通信部４２０および制御部４３０を有している。制御部４３０は、本技術の「生成部」、「修正部」、「第１送信部」および「第２送信部」の一具体例に対応する。
【００３５】
通信部４２０は、ネットワーク１００を介して、製品デザインシステム１内の他の装置（端末装置２００，５００等）と通信を行う。記憶部４１０は、例えば、不揮発性メモリによって構成されており、例えば、ＥＥＰＲＯＭ、フラッシュメモリ、抵抗変化型メモリなどによって構成されている。記憶部４１０は、制御部４３０によって実行されるプログラム（例えば、ウェブサーバプログラム４１１や、ウェブアプリケーションプログラム４１２）などを記憶している。ウェブアプリケーションプログラム４１２は、ネットワーク１００を介して使用するアプリケーションプログラムである。ウェブアプリケーションプログラム４１２は、ウェブサーバプログラム４１１と後述のウェブブラウザプログラム５１３とが協調することによって動作する。制御部４３０は、プロセッサを含んで構成されており、例えば、記憶部４１０に記憶されたウェブサーバプログラム４１１や、ウェブアプリケーションプログラム４１２などを実行する。制御部４３０の機能は、例えば、制御部４３０によって、ウェブサーバプログラム４１１やウェブアプリケーションプログラム４１２が実行されることによって実現される。
【００３６】
具体的には、制御部４３０は、製品データを、端末装置２００から受け付ける。製品データには、例えば、製品プロパティデータ２１１’と、製品設計データ２１２とが含まれる。製品プロパティデータ２１１’は、製品プロパティデータ２１１’のうち、製品ＩＤを除いたものである。この製品データは、端末装置２００のユーザ（例えば、製品メーカの人）によって、端末装置２００に入力された情報である。制御部４３０は、この製品データを受け付けると、製品プロパティデータ２１１’に対して、製品ＩＤを付与して、製品プロパティデータ２１１を生成する。制御部４３０は、さらに、生成した製品プロパティデータ２１１と、受け付けた製品設計データ２１２とをデータサーバ装置３００（記憶部３１０）に格納する。
【００３７】
制御部４３０は、画像データを、端末装置２００から受け付ける。画像データには、例えば、画像プロパティデータ２１３’と、デザイン画像データ２１４とが含まれる。画像プロパティデータ２１３’は、画像プロパティデータ２１３’のうち、画像ＩＤを除いたものである。この画像データは、端末装置２００のユーザ（例えば、製品メーカの人）によって、端末装置２００に入力された情報である。制御部４３０は、この画像データを受け付けると、画像プロパティデータ２１３’に対して、画像ＩＤを付与して、画像プロパティデータ２１３を生成する。制御部４３０は、さらに、生成した画像プロパティデータ２１３と、受け付けたデザイン画像データ２１４とをデータサーバ装置３００（記憶部３１０）に格納する。
【００３８】
制御部４３０は、画像データを受け付けると、画像データ（第１色空間の第１デザイン画像データ）を用いて、色空間（第１色空間）を、ロイコ色素（サーモクロミック材料）で表現される色空間（第２色空間）に変換する変換データ（ルックアップテーブル）を生成する。具体的には、制御部４３０は、画像データを用いて、色空間を、情報記録層９００で表現される色空間に変換する変換データを生成する。制御部４３０は、画像データを受け付けると、製品および表示環境ごとに、変換データを作成する。この変換データには、例えば、変換プロパティデータ３１４と、変換テーブル３１５とが含まれる。具体的には、まず、制御部４３０は、データサーバ装置３００から製品設計データ２１２を読み出す。次に、制御部４３０は、読み出した製品設計データ２１２と、端末装置２００から受け付けたデザイン画像データ２１４と、端末装置５００として採り得る表示環境の１つとに基づいて、変換テーブル３１５を作成する。つまり、制御部４３０は、加飾の下地の色を考慮して変換テーブル３１５を生成する。このとき、制御部４３０は、端末装置５００として採り得る表示環境ごとに、変換テーブル３１５を作成する。つまり、制御部４３０は、端末装置５００（外部機器）の表示環境を考慮して変換テーブル３１５を生成する。制御部４３０は、さらに、データサーバ装置３００に含まれる製品設計データ２１２ごとに、変換テーブル３１５を作成する。
【００３９】
制御部４３０は、さらに、作成した変換テーブル３１５ごとに、変換プロパティデータ３１４を作成する。具体的には、制御部４３０は、まず、読み出した製品設計データ２１２に対応する製品プロパティデータ２１１を読み出し、読み出した製品プロパティデータ２１１に含まれる製品ＩＤを抽出する。次に、制御部４３０は、抽出した製品ＩＤと、端末装置２００から受け付けた画像プロパティデータ２１３’に付与した画像ＩＤと、端末装置５００の表示環境と、変換テーブル３１５のテーブル名とを含む変換プロパティデータ３１４’を作成する。次に、制御部４３０は、作成した変換プロパティデータ３１４’に対して、変換ＩＤを付与することにより、変換プロパティデータ３１４を作成する。制御部４３０は、作成した変換データを、データサーバ装置３００（記憶部３１０）に格納する。
【００４０】
制御部４３０は、基本データ５１１を端末装置５００から受け付ける。基本データ５１１は、端末装置５００のユーザ（例えば、製品ユーザ）によって、端末装置５００に入力された情報である。基本データ５１１は、例えば、製品名、型式および表示環境を含んでいる。制御部４３０は、基本データ５１１を受け付けると、受け付けた基本データ５１１に対応する製品設計データ２１２を、データサーバ装置３００（記憶部３１０）から読み出す。制御部４３０は、例えば、基本データ５１１に含まれる製品名および型式に合致する製品プロパティデータ２１１を読み出し、読み出した製品プロパティデータ２１１に含まれる設計ファイル名に合致する製品設計データ２１１を読み出す。制御部４３０は、製品設計データ２１２に基づいて、製品設計データ２１２に対応する製品画像データ２１２Ａを生成する。
【００４１】
制御部４３０は、基本データ５１１を受け付けると、さらに、複数の画像プロパティデータ２１３を、データサーバ装置３００（記憶部３１０）から読み出し、端末装置５００に送信する。制御部４３０は、デザイン画像の選択（選択データ）を端末装置５００から受け付ける。選択データは、例えば、端末装置５００のユーザ（例えば、製品ユーザ）が、端末装置５００に表示された複数の画像プロパティデータ２１３に基づいて選択した画像のＩＤ（画像ＩＤ）である。制御部４３０は、受け付けた選択データ（例えば画像ＩＤ）に対応するデザイン画像データ２１４を、データサーバ装置３００（記憶部３１０）から読み出す。制御部４３０は、さらに、受け付けた選択データ（例えば画像ＩＤ）と、受け付けた基本データ５１１に対応する製品プロパティデータ２１１に含まれる製品ＩＤとに合致する変換プロパティデータ３１４を読み出す。制御部４３０は、読み出した変換プロパティデータ３１４に含まれるテーブル名に合致する変換テーブル３１５を読み出す。
【００４２】
制御部４３０は、プレビュー表示要求を端末装置５００から受け付ける。制御部４３０は、プレビュー表示要求を受け付けると、描画設定、画像補間およびマッピング（ガモットマッピング）を行う。描画設定とは、デザイン画像データ２１４の座標、向きおよび縮尺を所定の値（例えば初期値）に設定することを指している。画像補間とは、デザイン画像データ２１４のサイズや向きを変更した後の画像の各画素と、デザイン画像データ２１４のサイズや向きを変更する前の画像のどの画素に対応しているかを所定の画素について計算することを指している。画像補間の手法としては、例えば、バイキュービック法（bi-cubic convolution）が挙げられる。マッピングとは、画像補間後の画像（デザイン画像データ２１４）の色味を、ロイコ色素で表現できる色味に変換することを指している。マッピングには、変換テーブル３１５が用いられる。制御部４３０は、例えば、変換テーブル３１５を用いて、画像補間後の画像（デザイン画像データ２１４）からロイコ色域画像データ３１６を生成する。制御部４３０は、さらに、例えば、ロイコ色域画像データ３１６に対して、受け付けた基本データ５１１に含まれる表示環境のディスプレイで忠実な色表現を行うための補正を行う。制御部４３０は、生成したロイコ色域画像データ３１６（または補正後のロイコ色域画像データ３１６）と、受け付けた基本データ５１１に対応する製品設計データ２１２とを、端末装置５００に送信する。制御部４３０は、生成したロイコ色域画像データ３１６を、データサーバ装置３００（記憶部３１０）に格納する。
【００４３】
ところで、情報記録層９００は、ＣＭＹカラーフィルタ（以下、「メディア」と称する。）による減法混色で発色させるようになっている。そのため、情報記録層９００で表現できる色域がメディアの発色特性に依存することになり、デザイン画像データ２１４の色空間と異なる。デザイン画像データ２１４の色表現を極力忠実に再現するためには、デザイン画像データ２１４における各色が情報記録層９００で表現できる色のどこに当たるのかを所望の変換アルゴリズム（レンダリングインテント）でマッピングする必要がある。そのマッピングのための計算には、膨大な時間を要するので、本実施の形態では、変換テーブル３１５が用いられる。レンダリングインテントに関しては、様々なマッピング計算手法が考えられる。色味を忠実に表現するという観点からは、マッピング計算には、色差最小を用いることが好ましい。色差最小とは、Ｌ＊ａ＊ｂ＊均等色空間上において、デザイン画像の各表現色から最短距離のロイコ表現色にマッピングを行うことを指している。
【００４４】
制御部４３０は、画像修正要求を端末装置５００から受け付ける。制御部４３０は、画像修正要求を受け付けると、画像修正を行う。画像修正には、例えば、描画修正および色味修正のうち、少なくとも一方が含まれる。描画修正とは、デザイン画像データ２１４の座標、向きおよび縮尺を、端末装置５００に入力された値に設定することを指している。色味修正とは、デザイン画像データ２１４の色味を、端末装置５００に入力された値に設定することを指している。制御部４３０は、画像修正要求を受け付けると、端末装置５００から入力された画像修正要求に基づいて、デザイン画像データ２１４に対する修正を行う。具体的には、制御部４３０は、受け付けたデザイン画像データ２１４に対して、描画修正および色味修正のうち、少なくとも一方を行うことにより、画像修正要求を反映させたデザイン画像データ２１４’（第２デザイン画像データ）を生成する。制御部４３０は、デザイン画像データ２１４に対して画像修正要求に応じた修正がなされたデザイン画像（デザイン画像データ２１４’）を、ロイコ色素（サーモクロミック材料）で表現される色空間のデザイン画像（第３デザイン画像データ）として取得する。具体的には、制御部４３０は、変換テーブル３１５を用いて、デザイン画像データ２１４’をロイコ色域画像データ３１６（第３デザイン画像データ）に変換する。制御部４３０は、変換により得られたロイコ色域画像データ３１６を、ウェブサーバ装置４００および端末装置５００（外部機器）に送信する。制御部４３０は、画像修正の内容（座標、向き、縮尺および色味）を、調整データ５１２として、データサーバ装置３００（記憶部３１０）に格納する。
【００４５】
制御部４３０は、加飾要求を端末装置５００から受け付ける。制御部４３０は、加飾要求を受け付けると、デザイン画像データ２１４’をロイコ色域画像データ３１７（第２色空間の第４デザイン画像データ）に変換する。制御部４３０は、変換により得られたロイコ色域画像データ３１７に基づく加飾要求を加飾装置６００に送信する。制御部４３０は、例えば、変換により得られたロイコ色域画像データ３１７を加飾データに変換して、加飾装置６００に送信する。なお、加飾装置６００がロイコ色域画像データ３１７を加飾データに変換する機能を有している場合には、制御部４３０は、データサーバ装置３００（記憶部３１０）から読み出したデザイン画像データ２１４を加飾装置６００に送信してもよい。
【００４６】
（端末装置５００）
図１１は、端末装置５００の概略構成例を表したものである。端末装置５００は、例えば、記憶部５１０、通信部５２０、受付部５３０、表示部５４０および制御部５５０を有している。制御部５５０は、本技術の「第１受付部」、「第２受付部」、「取得部」および「第３受付部」の一具体例に対応する。表示部５４０は、例えば、液晶パネルや有機ＥＬパネルなどで構成されている。受付部５３０は、端末装置５００におけるユーザインターフェースであり、例えば、表示部５４０の表示面に表示されるＧＵＩ（グラフィカルユーザインターフェース）である。記憶部５１０は、制御部５５０によって実行されるプログラム（例えば、ウェブブラウザプログラム５１３や、オペレーティングシステム）などを記憶している。記憶部５１０には、例えば、基本データ５１１および調整データ５１２が記憶される。
【００４７】
制御部５５０は、プロセッサを含んで構成されており、記憶部５１０に記憶されたウェブブラウザプログラム５１３や、オペレーティングシステムなどを実行する。通信部５２０は、ネットワーク１００を介して、製品デザインシステム１内の他の装置（ウェブサーバ装置４００等）と通信を行う。端末装置５００におけるユーザインターフェース（受付部５３０）は、例えば、ウェブサーバ装置４００から取得したアプリケーション（例えばｈｔｍｌデータ）をウェブブラウザプログラム５１３で処理することにより実現される。
【００４８】
図１２は、端末装置５００におけるユーザインターフェース５４０Ａ（受付部５３０）の一例を表したものである。ユーザインターフェース５４０Ａは、例えば、加飾画像表示窓５４１と、製品情報入力窓５４２と、型式情報入力窓５４３と、表示環境情報入力窓５４４と、デザイン情報入力窓５４５と、プレビュー表示ボタン５４６と、決定ボタン５４７とを有している。
【００４９】
加飾画像表示窓５４１は、製品画像５４１Ａ上にデザイン画像５４１Ｂが重ね合わされた加飾画像を表示するための窓である。加飾画像は、例えば、製品画像５４１Ａ上にデザイン画像５４１Ｂが上書きされることにより形成された画像である。製品画像５４１Ａは、製品画像データ２１２Ａに基づいて描画される画像である。デザイン画像５４１Ｂは、ロイコ色域画像データ３１６に基づいて生成された画像である。加飾画像表示窓５４１では、例えば、マウスのカーソル操作によって、製品画像５４１Ａのビューアングルを調整することが可能となっている。また、加飾画像表示窓５４１では、例えば、マウスのカーソル操作によって、デザイン画像５４１Ｂの位置、サイズ、向きなどを調整することが可能となっている。
【００５０】
製品情報入力窓５４２は、製品名を入力するための窓である。型式情報入力窓５４３は、製品の型式を入力するための窓である。製品情報入力窓５４２および型式情報入力窓５４３は、途中まで入力された文字から、それに続く文字を、入力候補として表示する機能を有していてもよい。デザイン情報入力窓５４５は、複数の画像プロパティデータ２１３を表示するための窓である。デザイン情報入力窓５４５には、例えば、各画像プロパティデータ２１３に含まれるタイトルなどが表示される。デザイン情報入力窓５４５では、例えば、マウスのカーソル操作によって、表示した複数の画像プロパティデータ２１３のうち１または複数の画像プロパティデータ２１３を選択することが可能となっている。プレビュー表示ボタン５４６は、例えば、プレビュー表示ボタン５４６上でマウスがクリックされたときに、加飾画像表示窓５４１に、加飾画像を表示させるためのボタンである。決定ボタン５４７は、例えば、決定ボタン５４７上でマウスがクリックされたときに、加飾画像表示窓５４１に表示されているデザイン画像５４１Ｂの加飾要求を、加飾装置６００に出力させるためのボタンである。
【００５１】
制御部５５０は、基本データ５１１を、ユーザインターフェース５４０Ａを介して受け付ける。制御部５５０は、受け付けた基本データ５１１を、ウェブサーバ装置４００に送信する。制御部５５０は、複数の画像プロパティデータ２１３、通信部５２０を介してウェブサーバ装置４００から受信する。制御部５５０は、受信した複数の画像プロパティデータ２１３を、ユーザインターフェース５４０Ａ（デザイン情報入力窓５４５）を介して表示させる。制御部５５０は、端末装置５００のユーザによる、画像プロパティデータ２１３の選択（選択データ）を、ユーザインターフェース５４０Ａ（デザイン情報入力窓５４５）を介して受け付ける。制御部５５０は、受け付けた選択データを、ウェブサーバ装置４００に送信する。
【００５２】
制御部５５０は、プレビュー表示要求を受け付ける。制御部５５０は、例えば、ユーザインターフェース５４０Ａ上のプレビュー表示ボタン５４６がマウスでクリックされることよって、プレビュー表示要求を受け付ける。制御部５５０は、受け付けたプレビュー表示要求を、ウェブサーバ装置４００に送信する。制御部５５０は、製品画像データ２１２Ａおよびロイコ色域画像データ３１６を、ウェブサーバ装置４００から受信する。制御部５５０は、受信した製品画像データ２１２Ａおよびロイコ色域画像データ３１６に基づいて、加飾画像を生成し、ユーザインターフェース５４０Ａ（加飾画像表示窓５４１）を介して表示部５４０に表示させる。制御部５５０は、画像修正要求を受け付ける。制御部５５０は、例えば、ユーザインターフェース５４０Ａ（加飾画像表示窓５４１）を介して、画像修正要求を受け付ける。制御部５５０は、受け付けた画像修正要求を、ウェブサーバ装置４００に送信する。制御部５５０は、デザイン画像データ２１４’の加飾要求を受け付ける。制御部５５０は、例えば、ユーザインターフェース５４０Ａ（決定ボタン５４７）を介して、加飾要求を受け付ける。制御部５５０は、受け付けた加飾要求を、ウェブサーバ装置４００に送信する。
【００５３】
（加飾装置６００）
加飾装置６００は、ウェブサーバ装置４００から入力された信号（加飾データ）に基づいて、加飾処理を行う。加飾装置６００は、例えば、情報記録層９００を有するスマートフォンカバー１０００の加飾面１１００に対する加飾処理を行う。加飾装置６００における加飾処理としては、例えば、ロイコ色素を含む情報記録層９００に対してレーザを照射する処理が挙げられる。加飾データは、例えば、ロイコ色素を含んで構成された情報記録層９００に対する加飾に適したデータ形式となっている。なお、加飾装置６００に入力されたデータがロイコ色域画像データ３１６を含む場合には、制御部３４０は、例えば、ロイコ色域画像データ３１６を、加飾データに変換した上で加飾処理を行う。
【００５４】
[動作]
次に、本実施の形態に係る製品デザインシステム１の処理手順について説明する。
【００５５】
（製品データの登録）
最初に、製品データの登録手順について説明する。製品データは、例えば、画像プロパティデータ２１３およびデザイン画像データ２１４を含む。図１３は、製品デザインシステム１における製品データの登録手順の一例を表したものである。
【００５６】
端末装置２００のユーザ（例えば、製品メーカの人）は、端末装置２００のユーザインターフェース（受付部２３０）を介して、製品データを入力する。すると、端末装置２００は、端末装置２００のユーザインターフェース（受付部２３０）を介して、製品データを受け付ける（ステップＳ１０１）。端末装置２００は、受け付けた製品データをウェブサーバ装置４００に送信する（ステップＳ１０２）。
【００５７】
ウェブサーバ装置４００は、製品データを、端末装置２００から受け付ける（ステップＳ１０３）。ウェブサーバ装置４００は、受け付けた製品データを、データサーバ装置３００に送信する（ステップＳ１０４）。データサーバ装置３００は、製品データを受信し、受信した製品データを記憶部３１０に格納する（ステップＳ１０５）。
【００５８】
（画像データ・変換データの登録）
次に、画像データ・変換データの登録手順について説明する。画像データは、例えば、例えば、画像プロパティデータ２１３およびデザイン画像データ２１４を含む。変換データは、例えば、変換プロパティデータ３１４および変換テーブル３１５を含む。図１４は、製品デザインシステム１における画像データ・変換データの登録手順の一例を表したものである。
【００５９】
端末装置２００のユーザ（例えば、製品メーカの人）は、端末装置２００のユーザインターフェース（受付部２３０）を介して、画像データを入力する。すると、端末装置２００は、端末装置２００のユーザインターフェース（受付部２３０）を介して、画像データを受け付ける（ステップＳ２０１）。端末装置２００は、受け付けた画像データをウェブサーバ装置４００に送信する（ステップＳ２０２）。
【００６０】
ウェブサーバ装置４００は、画像データを、端末装置２００から受け付ける（ステップＳ２０３）。ウェブサーバ装置４００は、受け付けた画像データを、データサーバ装置３００に送信する（ステップＳ２０４）。データサーバ装置３００は、画像データを受信し、受信した画像データを記憶部３１０に格納する（ステップＳ２０５）。
【００６１】
ウェブサーバ装置４００は、画像データを受け付けたときに、製品設計データ２１２を、データサーバ装置３００から読み出す（ステップＳ２０６）。ウェブサーバ装置４００は、読み出した製品設計データ２１２と、端末装置２００から受け付けたデザイン画像データ２１４とに基づいて、変換データを作成する（ステップＳ２０７）。つまり、ウェブサーバ装置４００は、加飾の下地の色を考慮して変換テーブル３１５を生成する。このとき、ウェブサーバ装置４００は、端末装置５００として採り得る表示環境ごとに、変換テーブル３１５を作成する。つまり、ウェブサーバ装置４００は、端末装置５００（外部機器）の表示環境を考慮して変換テーブル３１５を生成する。ウェブサーバ装置４００は、さらに、データサーバ装置３００に含まれる製品設計データ２１２ごとに、変換テーブル３１５を作成する。ウェブサーバ装置４００は、作成した変換データを、データサーバ装置３００（記憶部３１０）に送信する（ステップＳ２０８）。データサーバ装置３００は、変換データを受信し、受信した変換データを記憶部３１０に格納する（ステップＳ２０９）。
【００６２】
（画像の調整）
次に、画像の調整手順について説明する。図１５、図１６は、製品デザインシステム１における画像の調整手順の一例を表したものである。
【００６３】
端末装置５００のユーザ（例えば、製品ユーザ）は、端末装置５００のユーザインターフェース５４０Ａを介して基本データ５１１を入力する。端末装置５００は、基本データ５１１を、ユーザインターフェース５４０Ａを介して受け付ける（ステップＳ３０１）。端末装置５００は、受け付けた基本データ５１１を、ウェブサーバ装置４００に送信する（ステップＳ３０２）。ウェブサーバ装置４００は、基本データ５１１を、端末装置５００から受信する（ステップＳ３０３）。ウェブサーバ装置４００は、受信した基本データ５１１に対応する製品設計データ２１２を、データサーバ装置３００（記憶部３１０）から読み出す（ステップＳ３０４）。ウェブサーバ装置４００は、例えば、基本データ５１１に含まれる製品名および型式に合致する製品プロパティデータ２１１を読み出し、読み出した製品プロパティデータ２１１に含まれる設計ファイル名に合致する製品設計データ２１１を読み出す。
【００６４】
ウェブサーバ装置４００は、基本データ５１１を受け付けると、さらに、複数の画像プロパティデータ２１３を、データサーバ装置３００（記憶部３１０）から読み出す（ステップＳ３０５）。ウェブサーバ装置４００は、読み出した複数の画像プロパティデータ２１３を、端末装置５００に送信する（ステップＳ３０６）。端末装置５００は、複数の画像プロパティデータ２１３、ウェブサーバ装置４００から受信する（ステップＳ３０７）。端末装置５００は、受信した複数の画像プロパティデータ２１３を、ユーザインターフェース５４０Ａ（デザイン情報入力窓５４５）を介して表示する（ステップＳ３０８）。端末装置５００は、端末装置５００のユーザによる、画像プロパティデータ２１３の選択（選択データ）を、ユーザインターフェース５４０Ａ（デザイン情報入力窓５４５）を介して受け付ける（ステップＳ３０９）。端末装置５００は、受け付けた選択データ（例えば画像ＩＤ）を、ウェブサーバ装置４００に送信する（ステップＳ３１０）。
【００６５】
ウェブサーバ装置４００は、選択データ（例えば画像ＩＤ）を端末装置５００から受信する（ステップＳ３１１）。ウェブサーバ装置４００は、受信した選択データ（例えば画像ＩＤ）に対応するデザイン画像データ２１４を、データサーバ装置３００（記憶部３１０）から読み出す（ステップＳ３１２）。ウェブサーバ装置４００は、さらに、受け付けた選択データ（例えば画像ＩＤ）と、受け付けた基本データ５１１に対応する製品プロパティデータ２１１に含まれる製品ＩＤとに合致する変換プロパティデータ３１４を読み出す。ウェブサーバ装置４００は、読み出した変換プロパティデータ３１４に含まれるテーブル名に合致する変換テーブル３１５を読み出す（ステップＳ３１３）。
【００６６】
端末装置５００は、プレビュー表示要求を受け付ける（ステップＳ３１４）。端末装置５００は、例えば、ユーザインターフェース５４０Ａ上のプレビュー表示ボタン５４６がマウスでクリックされることよって、プレビュー表示要求を受け付ける。端末装置５００は、受け付けたプレビュー表示要求を、ウェブサーバ装置４００に送信する（ステップＳ３１５）。
【００６７】
ウェブサーバ装置４００は、プレビュー表示要求を端末装置５００から受信する（ステップＳ３１６）。ウェブサーバ装置４００は、プレビュー表示要求を受け付けると、描画設定、画像補間およびマッピングを行う（ステップＳ３１７）。ウェブサーバ装置４００は、マッピングにより生成したロイコ色域画像データ３１６と、受け付けた基本データ５１１に対応する製品設計データ２１２とを、端末装置５００に送信する（ステップＳ３１８）。ウェブサーバ装置４００は、生成したロイコ色域画像データ３１６を、データサーバ装置３００（記憶部３１０）に格納する（ステップＳ３２１）。
【００６８】
端末装置５００は、製品画像データ２１２Ａおよびロイコ色域画像データ３１６を、ウェブサーバ装置４００から受信する（ステップＳ３１９）。端末装置５００は、受信した製品画像データ２１２Ａおよびロイコ色域画像データ３１６に基づいて、加飾画像を生成し、ユーザインターフェース５４０Ａ（加飾画像表示窓５４１）を介して表示部５４０に表示させる（ステップＳ３２０）。端末装置５００は、画像修正を受け付ける（ステップＳ３２２）。端末装置５００は、例えば、ユーザインターフェース５４０Ａ（加飾画像表示窓５４１）を介して、画像修正を受け付ける。端末装置５００は、受け付けた画像修正を、ウェブサーバ装置４００に送信する（ステップＳ３２３）。
【００６９】
ウェブサーバ装置４００は、画像修正要求を端末装置５００から受信する（ステップＳ３２４）。画像修正要求には、例えば、描画修正および色味修正のうち、少なくとも一方のデータが含まれる。ウェブサーバ装置４００は、画像修正要求を受け付けると、端末装置５００から入力された画像修正要求に基づいて、デザイン画像データ２１４に対する修正を行う（ステップＳ３２５）。具体的には、ウェブサーバ装置４００は、受け付けたデザイン画像データ２１４に対して、描画修正および色味修正のうち、少なくとも一方を行うことにより、画像修正要求を反映させたデザイン画像データ２１４’（第２デザイン画像データ）を生成する。次に、ウェブサーバ装置４００は、マッピングを行う（ステップＳ３２６）。具体的には、ウェブサーバ装置４００は、デザイン画像データ２１４に対して画像修正要求に応じた修正がなされたデザイン画像（デザイン画像データ２１４’）を、ロイコ色素（サーモクロミック材料）で表現される色空間のデザイン画像（第３デザイン画像データ）として取得する。より具体的には、ウェブサーバ装置４００は、変換テーブル３１５を用いて、デザイン画像データ２１４’をロイコ色域画像データ３１６（第３デザイン画像データ）に変換する。ウェブサーバ装置４００は、変換により得られたロイコ色域画像データ３１６を、ウェブサーバ装置４００および端末装置５００（外部機器）に送信する（ステップＳ３２７，Ｓ３２８）。ウェブサーバ装置４００は、画像修正の内容（座標、向き、縮尺および色味）を、調整データ５１２として、データサーバ装置３００（記憶部３１０）に格納する（ステップＳ３２９）。端末装置５００は、画像修正により得られたロイコ色域画像データ３１６を、ウェブサーバ装置４００から受信する（ステップＳ３３０）。端末装置５００は、製品設計データ２１２と、受信したロイコ色域画像データ３１６とに基づいて、加飾画像を生成し、ユーザインターフェース５４０Ａ（加飾画像表示窓５４１）を介して表示する（ステップＳ３３１）。
【００７０】
（加飾）
次に、加飾手順について説明する。端末装置５００のユーザ（例えば、製品ユーザ）は、端末装置５００を介して加飾要求を入力する。端末装置５００のユーザ（例えば、製品ユーザ）は、例えば、ユーザインターフェース５４０Ａの決定ボタン５４７をクリックすることにより、端末装置５００に加飾要求を入力する。端末装置５００は、デザイン画像データ２１４’の加飾要求を、ユーザインターフェース５４０Ａを介して受け付ける（ステップＳ３３２）。端末装置５００は、受け付けた加飾要求を、ウェブサーバ装置４００に送信する（ステップＳ３３３）。ウェブサーバ装置４００は、加飾要求を端末装置５００から受信する（ステップＳ３３４）。
【００７１】
ウェブサーバ装置４００は、加飾要求を受信すると、デザイン画像データ２１４’をロイコ色域画像データ３１７に変換し、変換により得られたロイコ色域画像データ３１７に基づく加飾要求を加飾装置６００に送信する。具体的には、ウェブサーバ装置４００は、加飾要求を受信すると、デザイン画像データ２１４’をロイコ色域画像データ３１７に変換し、変換により得られたロイコ色域画像データ３１７を加飾データに変換する（ステップＳ３３５）。ウェブサーバ装置４００は、生成した加飾データを加飾装置６００に送信する（ステップＳ３３６）。加飾装置６００は、加飾データを受信する（ステップＳ３３７）。加飾装置６００は、受信した加飾データによる加飾を、所定のタイミングで、製品の筐体に設けられた情報記録層９００に実行する（ステップＳ３３８）。
【００７２】
なお、加飾装置６００がロイコ色域画像データ３１７を加飾データに変換する機能を有している場合には、ウェブサーバ装置４００は、加飾要求を受信したときに、デザイン画像データ２１４’から得られたロイコ色域画像データ３１７を加飾装置６００に送信してもよい。このとき、加飾装置６００は、受信したロイコ色域画像データ３１７を加飾データに変換した上で、加飾を実行する。
【００７３】
[効果]
次に、本実施の形態に係る製品デザインシステム１の効果について説明する。
【００７４】
製品をデザインするためには、多くのコストと費用がかかる。しかし、製品デザインにおいて、素材の染色や外観への着色は、比較的、低コストで済む。また、カラーや加飾デザインのバリエーションを用意することで、消費者の幅広い嗜好性に合わせることができ、販売数量を拡大することができる。そのため、様々な製品分野で、カラーや加飾デザインのバリエーションが用意されている。
【００７５】
しかし、カラーや加飾デザインのバリエーション数を増やし過ぎた場合には、例えば、ある特定のカラーや加飾デザインの製品で大量の在庫が残ってしまい、大きな在庫リスクを抱えるおそれがある。一方で、カラーや加飾デザインのバリエーション数が少な過ぎると、消費者の幅広い嗜好性に合わせることが容易ではなくなる。
【００７６】
一方、本実施の形態に係る製品デザインシステム１では、画像修正のなされたデザイン画像データ２１４’が、変換テーブル３１５を用いて、ロイコ色素（サーモクロミック材料）で表現される色空間のロイコ色域画像データ３１６に変換される。これにより、プロファイル変換に要する時間が短縮されるので、デザイン画像データ２１４に対する画像修正要求から、ロイコ色域画像データ３１６の取得までの時間を短縮することができる。また、この製品デザインシステム１では、ロイコ色域画像データ３１６は端末装置５００に送信され、デザイン画像データ２１４’からプロファイル変換されたロイコ色域画像データ３１７に基づく加飾要求が加飾装置６００に送信される。これにより、例えば、デザイン画像データ２１４に対する画像修正を要求すると、画像修正とプロファイル変換のなされたロイコ色域画像データ３１６が短時間で端末装置５００に表示され、加飾用に生成されたロイコ色域画像データ３１７に基づく加飾が加飾装置６００で実行され得る。このとき、例えば、製品の筐体に、サーモクロミック材料を含む情報記録層９００が設けられており、その情報記録層９００に対して、ロイコ色域画像データ３１７に基づく加飾が実行されることにより、製品の筐体に、ユーザの嗜好や気分などに合わせたデザイン画像を加飾することができる。従って、ユーザの嗜好や気分などに合わせたデザイン画像の加飾された多くの製品をあらかじめ用意しておく必要がない。以上のことから、本実施の形態では、大きな在庫リスクを避けつつ、消費者の幅広い嗜好性に合わせることができる。
【００７７】
また、本実施の形態では、加飾の下地の色を考慮して変換テーブル３１５が生成される。これにより、情報記録層９００が透明に成り得る材料で構成されている場合であっても、製品上で実際に視認される色を表示部５４０に忠実に再現することが可能となる。
【００７８】
また、本実施の形態では、端末装置５００の表示環境を考慮して変換テーブル３１５が生成される。これにより、製品上で実際に視認される色を表示部５４０に忠実に再現することができる。
【００７９】
また、本実施の形態では、情報記録層９００がロイコ色素を含んで構成されている。これにより、情報記録層９００に対して赤外光を照射することにより、情報記録層９００を発色状態にしたり、消色状態にしたりすることができる。その結果、情報記録層９００に対して繰り返しデザイン画像を書き込むことができるので、製品の筐体に、ユーザの嗜好や気分などに合わせたデザイン画像を加飾することができる。
【００８０】
また、本実施の形態では、受け付けたデザイン画像データ２１４に対しての、描画修正および色味修正のうち、少なくとも一方の修正要求が受け付けられる。また、デザイン画像データ２１４に対して修正要求に応じた修正がなされたデザイン画像データ２１４’が、サーモクロミック材料で表現される色空間のロイコ色域画像データ３１６として取得され、表示部５４０に表示される。さらに、ロイコ色域画像データ３１６に対応するデザイン画像（デザイン画像データ２１４’）の加飾要求が受け付けられる。これにより、例えば、デザイン画像データ２１４に対する画像修正を要求すると、画像修正とプロファイル変換のなされたロイコ色域画像データ３１６が表示され、加飾用に生成されたロイコ色域画像データ３１７に基づく加飾が加飾装置６００で実行され得る。このとき、例えば、製品の筐体に、サーモクロミック材料を含む情報記録層９００が設けられており、その情報記録層９００に対して、ロイコ色域画像データ３１７に基づく加飾が実行されることにより、製品の筐体に、ユーザの嗜好や気分などに合わせたデザイン画像を加飾することができる。従って、ユーザの嗜好や気分などに合わせたデザイン画像の加飾された多くの製品をあらかじめ用意しておく必要がない。以上のことから、本実施の形態では、大きな在庫リスクを避けつつ、消費者の幅広い嗜好性に合わせることができる。
【００８１】
また、本実施の形態では、基本データ５１１に対応する製品画像５４１Ａが取得され、製品画像５４１Ａ上にロイコ色域画像データ３１６が重ね合わされた加飾画像が表示部５４０に表示される。これにより、製品上で実際に視認される色を表示部５４０に忠実に再現することが可能となる。
【００８２】
以上、実施の形態およびその変形例を挙げて本開示を説明したが、本開示は上記実施の形態等に限定されるものではなく、種々変形が可能である。なお、本明細書中に記載された効果は、あくまで例示である。本開示の効果は、本明細書中に記載された効果に限定されるものではない。本開示が、本明細書中に記載された効果以外の効果を持っていてもよい。
【００８３】
また、例えば、本開示は以下のような構成を取ることができる。
（１）
第１デザイン画像データを用いて、第１色空間を、サーモクロミック材料で表現される第２色空間に変換するルックアップテーブルを生成する生成部と、
前記第１デザイン画像データに対して、描画修正および色味修正のうち、少なくとも一方を行うことにより、第２デザイン画像データを生成する修正部と、
前記ルックアップテーブルを用いて、前記第２デザイン画像データを、前記第２空間の第３デザイン画像データに変換し、変換により得られた前記第３デザイン画像データを外部機器に送信する第１送信部と、
前記第２デザイン画像データを前記第２色空間の第４デザイン画像データに変換し、変換により得られた前記第４デザイン画像データに基づく加飾要求を加飾装置に送信する第２送信部と
を備えた
製品デザインシステム。
（２）
前記生成部は、前記加飾の下地の色を考慮して前記ルックアップテーブルを生成する
（１）に記載の製品デザインシステム。
（３）
前記修正部は、外部機器から入力された修正要求に基づいて、前記第１デザイン画像データに対する修正を行い、
前記生成部は、前記外部機器の表示環境を考慮して前記ルックアップテーブルを生成する
（１）または（２）に記載の製品デザインシステム。
（４）
前記サーモクロミック材料は、ロイコ色素である
（１）ないし（３）のいずれか一項に記載の製品デザインシステム。
（５）
第１デザイン画像の選択を受け付ける第１受付部と、
前記第１デザイン画像に対しての、描画修正および色味修正のうち、少なくとも一方の修正要求を受け付ける第２受付部と、
前記第１デザイン画像に対して前記修正要求に応じた修正がなされた第２デザイン画像を、サーモクロミック材料で表現される色空間の第３デザイン画像として取得し、表示部に表示させる取得部と、
前記第３デザイン画像に対応するデザイン画像の加飾要求を受け付ける第３受付部と
を備えた
デザイン画像修正装置。
（６）
前記第１受付部は、製品の基本データをさらに受け付け、
前記取得部は、前記基本データに対応する製品画像を取得し、前記製品画像上に前記第３デザイン画像が重ね合わされた加飾画像を前記表示部に表示させる
（５）に記載のデザイン画像修正装置。
【００８４】
本出願は、日本国特許庁において２０１６年１２月２７日に出願された日本特許出願番号第２０１６−２５３５７８号を基礎として優先権を主張するものであり、この出願のすべての内容を参照によって本出願に援用する。
【００８５】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2018123340.tif 000003
【図２】
2018123340.tif 000004
【図３】
2018123340.tif 000005
【図４】
2018123340.tif 000006
【図５】
2018123340.tif 000007
【図６】
2018123340.tif 000008
【図７】
2018123340.tif 000009
【図８】
2018123340.tif 000010
【図９】
2018123340.tif 000011
【図１０】
2018123340.tif 000012
【図１１】
2018123340.tif 000013
【図１２】
2018123340.tif 000014
【図１３】
2018123340.tif 000015
【図１４】
2018123340.tif 000016
【図１５】
2018123340.tif 000017
【図１６】
2018123340.tif 000018
【図１７】
2018123340.tif 000019
【国際調査報告】
2018123340.tif 000020
2018123340.tif 000021
2018123340.tif 000022